(57)【要約】【課題】高さが制限される空間であっても設置可能でありつつ、流体をスムーズに汲み出し可能な流体汲出装置の提供を目的とした。【解決手段】流体汲出装置１０は、載置部２０と、スライダー３０と、ポンプ４０と、フォロープレート５０と、定荷重バネ６０とを備えている。載置部２０は、開口部３が垂直方向よりも所定の角度をなして臨むように容器１を載置可能なものであり、スライダー３０により垂直方向よりも所定の角度をなすスライド方向に摺動可能とされている。また、ポンプ４０は、容器１内に貯留された流体を汲み出すためのものであり、載置部２０に対してスライド方向に離れた位置に設けられている。フォロープレート５０は、ポンプ４０の吸込部４２に着脱自在に装着されており、定荷重バネ６０による付勢力により、フォロープレート５０から流体面に一定の押圧力を作用させることができる。【選択図】図３
0003182037.tif 000002
【実用新案登録請求の範囲】
【請求項１】
開口部が垂直方向よりも所定の角度をなして臨むように容器を載置可能な載置部と、
垂直方向よりも所定の角度をなすスライド方向に前記載置部を摺動可能なスライダーと、
前記載置部に対して前記スライド方向に離れた位置に設けられており、前記容器内に貯留された流体を汲み出すポンプと、
前記ポンプの吸込部に着脱自在に装着されたフォロープレートと、
前記フォロープレートにより流体面に一定の押圧力が作用するように前記載置部を前記ポンプ側へ付勢する定荷重バネとを有することを特徴とする流体汲出装置。
【請求項２】
前記容器の配置角度を調整可能な角度調整機構を備えていることを特徴とする請求項１に記載の流体汲出装置。
【請求項３】
前記容器の開口部が水平方向に臨むように配置されることを特徴とする請求項１又は２に記載の流体汲出装置。
【請求項４】
前記フォロープレートが、
前記ポンプ側に固定された固定プレートと、
前記固定プレートに対して支軸を介して近接離反する方向に揺動可能なように連結された揺動プレートとを有し、
傾斜した姿勢で設置された前記容器の開口部に、前記揺動プレートが流体面に臨むと共に、前記支軸が下方側に向く姿勢となるように前記フォロープレートを挿入し、前記ポンプが前記容器に対して近接するように相対移動させることが可能であることを特徴とする請求項１〜３のいずれかに記載の流体汲出装置。
【請求項５】
前記揺動プレートの少なくとも外周部が、弾性体によって形成されていることを特徴とする請求項４に記載の流体汲出装置。
【請求項６】
前記ポンプの吸込部が、前記容器の軸心位置よりも下方に外れた位置に設けられていることを特徴とする請求項１〜５のいずれかに記載の流体汲出装置。
【請求項７】
請求項１〜６のいずれか記載の流体汲出装置であって、
前記流体汲出装置が上下方向に狭小な空間内に配置されて用いられるものであることを特徴とする流体汲出装置。
【請求項８】
前記ポンプが、動力を受けて偏心回転する雄ねじ型のロータと、内周面が雌ねじ型に形成されたステータとを有する一軸偏心ねじポンプであることを特徴とする請求項１〜７のいずれかに記載の流体汲出装置。
【請求項９】
請求項１〜８のいずれかに記載の流体汲出装置と、
横穴掘削用のシールド機とを有し、
前記流体汲出装置が、前記シールド機内部に配置され、前記容器に収容されている裏込注入剤を汲み出し、前記シールド機によって掘削孔の内壁面に沿って配置されるセグメントと地質との間に注入可能であることを特徴とするシールドシステム。
【考案の詳細な説明】
【技術分野】
【０００１】
本考案は、流体汲出装置、及びこの流体汲出装置を用いたシールドシステムに関する。
【背景技術】
【０００２】
従来、下記特許文献１に開示されているような汲出装置が提供されている。この汲出装置は、容器内の貯留流体の流体面にポンプの吸込部に取り付けられたフォロープレートを配置することにより、ポンプによって貯留流体を汲み出し可能としたものである。この汲出装置は、ポンプに加え、ポンプが固定されている支柱に沿って昇降可能なように設けられた昇降台と引っ張りばねとを備えており、引っ張りばねによって流体面をフォロープレートに押し付ける上昇方向に昇降台を付勢する構成とされている。このような構成とすることにより、貯留流体の減少することにより昇降台と共に容器が上昇し、汲出操作が簡単に行える。
【先行技術文献】
【特許文献】
【０００３】
【特許文献１】特開２００８−２６７３０７号公報
【考案の概要】
【考案が解決しようとする課題】
【０００４】
ここで、上述した従来技術の汲出装置は、容器が載置された昇降台が貯留流体の減少に応じて引っ張りばねによってポンプ側に引き上げられる構成であるため、相応の高さを要する。しかしながら、例えばトンネル等の横穴掘削作業を行う現場のように高さが制限される現場においては、上述した汲出装置を裏込材の供給等のために設置することが困難であるものと想定される。
【０００５】
そこで、本考案は、高さが制限される空間であっても設置可能でありつつ、流体をスムーズに汲み出し可能な流体汲出装置の提供を目的とした。
【課題を解決するための手段】
【０００６】
上述した課題を解決すべく提供される本考案の流体汲出装置は、開口部が垂直方向よりも所定の角度をなして臨むように容器を載置可能な載置部と、垂直方向よりも所定の角度をなすスライド方向に前記載置部を摺動可能なスライダーと、前記載置部に対して前記スライド方向に離れた位置に設けられており、前記容器内に貯留された流体を汲み出すポンプと、前記ポンプの吸込部に着脱自在に装着されたフォロープレートと、前記フォロープレートにより流体面に一定の押圧力が作用するように前記載置部を前記ポンプ側へ付勢する定荷重バネとを有することを特徴とするものである。
【０００７】
本考案の流体汲出装置においては、スライダーによって摺動可能とされた載置部に容器を載置すると共に、容器の開口部にフォロープレートを挿入することで、定荷重バネによる付勢力の影響によりフォロープレートにより流体面に一定の押圧力が作用する。従って、本考案の流体汲出装置によれば、ポンプにより流体が汲み出されて減少するのに連れてフォロープレートが容器の底側に移動し、流体をスムーズに汲み出すことができる。
【０００８】
また、本考案の流体汲出装置においては、開口部が垂直方向よりも所定の角度をなして臨む姿勢、すなわち横向きあるいは斜め向きの姿勢で容器を載置部に設置できる。また、スライダーにより載置部を垂直方向よりも所定の角度をなす方向（横方向あるいは斜め方向）に摺動させることができる。さらに、載置部に対してスライド方向に離れた位置にポンプが設置されている。このように、本考案の流体汲出装置は、垂直方向よりも所定の角度をなす方向（横方向あるいは斜め方向）に装置構成が配列されており、その作動方向も横方向あるいは斜め方向とされている。従って、本考案の流体汲出装置は、高さが制限されるような空間であっても設置し、作動させることが可能である。
【０００９】
上述した本考案の流体汲出装置は、前記容器の配置角度を調整可能な角度調整機構を備えていることが望ましい。
【００１０】
かかる構成とすることにより、高さが制限される狭小空間においても、載置部に対する容器を設置し、配置角度を調整する作業を容易に実施することが可能となる。
【００１１】
上述した本考案の流体汲出装置は、前記容器の開口部が水平方向に臨むように配置されることを特徴とするものであっても良い。
【００１２】
上述した本考案の流体汲出装置は、前記フォロープレートが、前記ポンプ側に固定された固定プレートと、前記固定プレートに対して支軸を介して近接離反する方向に揺動可能なように連結された揺動プレートとを有し、傾斜した姿勢で設置された前記容器の開口部に、前記揺動プレートが流体面に臨むと共に、前記支軸が下方側に向く姿勢となるように前記フォロープレートを挿入し、前記ポンプが前記容器に対して近接するように相対移動させることが可能なものであっても良い。
【００１３】
本考案の流体汲出装置においては、傾斜した姿勢で設置された容器にフォロープレートを挿入すると、揺動プレートが支軸を中心として固定プレートから離れる方向に揺動し、容器内において斜め向きになっている流体面に沿った状態になる。この状態においてポンプと容器とを近接させると、揺動プレートが固定プレートに近接する方向に揺動して流体面の表面に揺動プレート及び固定プレートが沿った状態になると共に、フォロープレートの裏側（流体側）に形成された空間内に存在していた空気が容器内から排出される。これにより、エア噛み等を生じることなく、傾斜した姿勢で設置された容器から流体をスムーズに汲み出すことが可能となる。
【００１４】
上述した本考案の流体汲出装置は、前記揺動プレートの少なくとも外周部が、弾性体によって形成されていることが望ましい。
【００１５】
かかる構成とすることにより、揺動プレートの外周と、容器の内周面との間をシールすることが可能となる。
【００１６】
ここで、横向きあるいは斜め向きに容器を設置した場合、流体は容器の軸心位置よりも下方側に溜まる傾向にある。そのため、流体の残量が少なくなってきた場合においても容器内の流体をスムーズに汲み出し可能とするためには、ポンプの吸込部の設置場所について方策を講じることが望ましい。
【００１７】
かかる知見に基づいて提供される本考案の流体汲出装置は、前記ポンプの吸込部が、前記容器の軸心位置よりも下方に外れた位置に設けられていることを特徴とするものである。
【００１８】
かかる構成とすることにより、容器の軸心位置よりも下方側に溜まった流体についてもスムーズに汲み出すことが可能となる。
【００１９】
本考案の流体汲出装置は、上述したいずれか記載の流体汲出装置であって、前記流体汲出装置が上下方向に狭小な空間内に配置されて用いられるものであっても良い。
【００２０】
上述したように、本考案の流体汲出装置は、横向きあるいは斜め向きの姿勢で容器を載置すると共に、載置部を横方向あるいは斜め方向に摺動させることができる。また、ポンプが、載置部に対してスライド方向に離れた位置に設置されている。このように、本考案の流体汲出装置は、装置構成の配列及び作動方向が横方向あるいは斜め方向とされているため、上下方向が狭小な空間であっても設置して使用することができる。
【００２１】
上述した本考案の流体汲出装置は、前記ポンプが、動力を受けて偏心回転する雄ねじ型のロータと、内周面が雌ねじ型に形成されたステータとを有する一軸偏心ねじポンプであることが好ましい。
【００２２】
本考案の流体汲出装置は、ポンプとして一軸偏心ねじポンプを用いたものであるため、例えばシールド工事において使用される裏込注入剤のような高粘性流体の圧送にも好適に利用することができる。
【００２３】
また、本考案のシールドシステムは、上述した本考案の流体汲出装置と、横穴掘削用のシールド機とを有し、前記流体汲出装置が、前記シールド機内部に配置され、前記容器に収容されている裏込注入剤を汲み出し、前記シールド機によって掘削孔の内壁面に沿って配置されるセグメントと地質との間に注入可能であることを特徴とするものである。
【００２４】
本考案のシールドシステムは、上述した本考案の流体汲出装置を裏込注入剤を汲み出すために利用するものである。そのため、本考案のシールドシステムにおいては、裏込注入剤を供給し、セグメントと地質との間に注入する注入作業をスムーズに実施することができる。
【考案の効果】
【００２５】
本考案によれば、高さが制限される空間であっても設置可能でありつつ、流体をスムーズに汲み出し可能な流体汲出装置を提供できる。
【図面の簡単な説明】
【００２６】
【図１】本考案の一実施形態に係るシールドシステムによりトンネル等を掘削している状態を示す断面図である。
【図２】図１に示すシールドシステムにより形成された掘削孔及びシールドの間に裏込注入剤を注入した状態を示す断面図である。
【図３】本考案の一実施形態に係る流体汲出装置を示す図であり、（ａ）はポンプ及びフォロープレートを容器内に挿入する前の状態、（ｂ）はポンプ及びフォロープレートを容器内に挿入した後の状態を示す側面図、（ｃ）は（ａ），（ｂ）に示した流体汲出装置の右側面図である。
【図４】変形例に係る流体汲出装置を一部の構成を省略しつつ図示したものであり、（ａ）は当該流体汲出装置を容器に対してセットする初期段階を示した側面図、（ｂ）は流体汲出装置を使用可能なようにセットした状態を示した側面図である。
【考案を実施するための形態】
【００２７】
以下、本考案の一実施形態に係る流体汲出装置１０及びシールドシステム１００について、図面を参照しつつ詳細に説明する。なお、以下の説明においては、本実施形態における特徴的構成である流体汲出装置１０の説明に先立ち、シールドシステム１００の構成について概略を説明する。
【００２８】
シールドシステム１００は、トンネル等の施工のために地質に横穴を掘削するために使用されるものである。図１に示すように、シールドシステム１００は、流体汲出装置１０の他に、シールド機１１０や土砂運搬用コンベア１２０、ジャッキ１３０等を備えている。
【００２９】
シールド機１１０は、円筒状の外観を有するシールド機本体１１２の先端部にカッターヘッド１１４を設けた構成とされている。シールド機１１０は、カッターヘッド１１４が回転することにより、カッターヘッド１１４に設けられているカッタービット（図示せず）によって岩盤等を砕いて掘削することができる。また、カッターヘッド１１４には、掘削により発生した土砂を取り込むための開口（図示せず）が設けられている。
【００３０】
また、シールド機１１０には、掘削により地質内に形成された空洞をなす内壁面に沿うようにセグメント１４０を組み立て、所定の場所に移動させるためのエレクター（図示せず）が設けられている。図２に示すように、セグメント１４０は、周方向に複数並べボルト等で締結することにより、シールド機１１０により形成される掘削孔の内周面に沿う形状に組み立てられる。
【００３１】
図１に示すように、シールド機本体１１２の後端部には、テールシール１１６が設けられている。テールシール１１６は、シールド機本体１１２の外周に、略全周に亘って設けられたシール部材である。テールシール１１６は、掘削により形成された掘削孔の内周面とシールド機本体１１２との間に形成された隙間を介して地下水や土砂がシールド機本体１１２内に進入しないようにするためのものである。
【００３２】
土砂運搬用コンベア１２０は、カッターヘッド１１４に設けられている開口から取り込まれた土砂を搬送するためのコンベアである。土砂運搬用コンベア１２０は、いかなるコンベアによって構成されていても良いが、例えばスクリューコンベア等によって構成することができる。土砂運搬用コンベア１２０により搬送された土砂は、坑外に向けて延びるレール上に設置された土砂運搬車１２２に移載され、坑外に移送される。
【００３３】
ジャッキ１３０は、シールド機１１０のエレクターによって掘削孔の内壁面に沿って配列されたセグメント１４０の側面（シールド機１１０の進行方向の面）に接触し、シールド機１１０の進行方向前方側から後方側に向けて突出して押圧可能なものでる。ジャッキ１３０は、シールド機本体１１２の内周に沿って周方向に複数設けられている。ジャッキ１３０を作動させてセグメント１４０に押圧力を作用させることにより発生する反力により、シールド機本体１１２を前方に向けて推進させることができる。
【００３４】
流体汲出装置１０は、上述したシールド機１１０と共に、トンネル等の上下方向に狭小な空間内に配置されて用いられる。流体汲出装置１０は、シールド機本体１１２の内部に配置されている。流体汲出装置１０は、容器１に収容されている裏込注入剤を汲み出し、シールド機１１０によって掘削孔の内壁面に沿って配置されるセグメント１４０と地質との間に注入するために用いられる。
【００３５】
図３に示すように、流体汲出装置１０は、載置部２０と、スライダー３０と、ポンプ４０と、フォロープレート５０と、定荷重バネ６０とを備えている。載置部２０は、裏込注入剤を収容した容器１を載置するために設けられたものである。載置部２０は、裏込注入剤を収容した容器１を固定する固定具２２と、固定具２２の配置角度を調整可能な角度調整機構２４とを備えている。これにより、図３（ａ）において矢印で示すように容器１を回動させ、開口部３が垂直方向よりも所定の角度をなして臨むように姿勢調整することができる。すなわち、載置部２０は、容器１を横転させた状態、あるいは斜めに傾けた状態として載置可能とされている。また、スライダー３０は略平行に配置されたレールによって構成されている。載置部２０は、スライダー３０により水平方向あるいは傾斜した方向に向けてスライド可能とされている。
【００３６】
ポンプ４０は、容器１内に貯留された流体を汲み出すためのものである。ポンプ４０は、載置部２０に対してスライド方向に離れた位置において、スライダー３０に対して固定された状態で設置されている。ポンプ４０は、動力を受けて偏心回転する雄ねじ型のロータ（図示せず）、及び内周面が雌ねじ型に形成されたステータ（図示せず）を備えた一軸偏心ねじポンプによって構成されている。ポンプ４０は、ロータ及びステータを収容した筒状のケーシングの先端側に、吸込部４２を有する。
【００３７】
フォロープレート５０は、一定の厚みを有する略円板状の外観形状を有し、容器１内に貯留されている流動体の表面に面接触するように設置される部材である。フォロープレート５０は、例えば発泡ポリエチレン等の合成樹脂や発泡合成ゴムの独立気泡体で形成されている。フォロープレート５０は、柔軟性を有しており、容器１の内径よりも少し大きい直径に形成されている。従って、フォロープレート５０を容器１内に圧入して装着することにより、フォロープレート５０の外周部と、容器１の内周面との接触部が密封される。また、フォロープレート５０は、下面が平坦面として形成されており、中央部に装着孔５２が形成されている。フォロープレート５０は、ポンプ４０の吸込部４２を装着孔５２に挿入することにより、着脱自在に装着されている。
【００３８】
定荷重バネ６０は、フォロープレートにより流体面に一定の押圧力が作用するように載置部をポンプ側へ付勢するためのバネである。本実施形態では、定荷重バネ６０は、スプリングバランサによって構成されている。定荷重バネ６０は、ポンプ４０の下方等の載置部２０よりもポンプ４０側の位置に設置されており、載置部２０をポンプ４０側に引き寄せる方向に付勢力を作用させることができる。
【００３９】
流体汲出装置１０を使用する場合には、先ず図３（ａ）に示すように流動体を収容した容器１を固定具２２によって載置部２０に固定した後、角度調整機構２４によって開口部３がポンプ４０側を向くように横転させる。その後、図３（ｂ）に示すように、載置部２０をポンプ４０側にスライドさせ、フォロープレート５０と共にポンプ４０の吸込部４２を開口部３から容器１内に差し込むことにより、使用可能な状態になる。流体汲出装置１０は、ポンプ４０を作動させることにより容器１内から流体（本実施形態では裏込注入剤５）を汲み出すことができる。また、定荷重バネ６０の作用により、容器１内に貯留されている流体の減少に連動して載置部２０がポンプ４０側に近接し、フォロープレート５０が容器１の底側に近づく。この際、容器１内の流体面には、一定の押圧力が作用する。そのため、容器１内に流体がなくなるまで、ポンプ４０によってスムーズに流体が汲み出される。
【００４０】
図１において二点鎖線で示すように、ポンプ４０の吐出部４４は、裏込注入剤５を注入するためのノズル４６に対して配管接続されている。ポンプ４０によって汲み出された流体（裏込注入剤５）は、ノズル４６から吐出され、シールド機１１０によって形成された掘削孔の内壁面（地質）とセグメント１４０との間に注入される。
【００４１】
上述したように、本実施形態の流体汲出装置１０は、スライダー３０によって摺動可能とされた載置部２０に容器１を載置した後、容器１の開口部３にフォロープレート５０を挿入することで、定荷重バネ６０による付勢力によってフォロープレート５０を介して流体面に一定の押圧力を作用させることができる。これにより、ポンプ４０を用いて流体（裏込注入剤５）を汲み出すに連れて流体面が容器１の底側に移動するのに追従するようにフォロープレート５０を移動させ、容器１内の流体をスムーズに汲み出すことができる。
【００４２】
また、本実施形態では、容器１を横転させた状態で設置した載置部２０を、スライダー３０によって横方向（ポンプ４０の軸方向）に摺動させることができる。また、ポンプ４０は、載置部２０に対してスライド方向（スライダー３０の延伸方向）に隣接する位置に設置されている。このように、流体汲出装置１０は、装置構成の配列及び作動方向が横方向（略水平方向）とされている。従って、流体汲出装置１０は、トンネルのような高さが制限されるような空間であっても設置し、作動させることが可能である。
【００４３】
本実施形態の流体汲出装置１０は、載置部２０に設置された容器１の配置角度を調整可能な角度調整機構２４を備えている。そのため、高さが制限される狭小空間においても、載置部２０に対する容器１を設置し、配置角度を調整する作業を容易に実施することが可能である。なお、本実施形態において例示した角度調整機構２４は、開口が上向きになるように設置した容器１をポンプ４０側に向けて約９０度回転させ、横転状態とすることができる機構を有するものであるが、本考案はこれに限定されるものではなく、容器１を斜め方向に向くように角度調整可能なもの等とすることが可能である。
【００４４】
また、本実施形態の流体汲出装置１０では、ポンプ４０として一軸偏心ねじポンプが用いられている。そのため、裏込注入剤のような高粘性流体であってもスムーズに圧送でき、シールドシステム１００に用いるのに好適である。なお、本実施形態では、ポンプ４０として一軸偏心ねじポンプを用いた構成を例示したが、本考案はこれに限定されるものではなく、他の種類のポンプを用いても良い。
【００４５】
本実施形態のシールドシステム１００は、上述した流体汲出装置１０を裏込注入剤を汲み出すために利用するものである。そのため、シールドシステム１００においては、裏込注入剤を供給し、セグメント１４０と地質との間に注入する注入作業をスムーズに実施することができる。
【００４６】
本実施形態においては、開口部３が水平方向に臨む姿勢、すなわち横転させた姿勢で載置部２０に容器１を設置し、軸線方向が略水平方向に向くようにポンプ４０を設置した構成の流体汲出装置１０を例示したが、本考案はこれに限定されるものではない。具体的には、図４に示すように、開口部３が垂直方向よりも所定の角度をなして臨む姿勢で容器１を設置し、軸線方向が垂直方向よりも所定の角度をなすようにポンプ４０を設置した構成としても良い。すなわち、載置部２０を容器１を開口部３が斜め上方を向くように設置可能なものすると共に、容器１に対して斜め上方にポンプ４０を設置し、ポンプ４０に対して載置部２０を斜め上方に向けて近接する方向に相対移動可能な構成としても良い。かかる構成とした場合についても、上述した流体汲出装置１０と同様に、トンネル内のような上下方向に狭小な空間内においても、容器１から流体をスムーズに汲み上げることが可能となる。
【００４７】
ここで、上述したように開口部３が垂直方向よりも所定の角度をなして臨む姿勢で容器１を設置し、軸線方向が垂直方向よりも所定の角度をなすようにポンプ４０を設置した構成とする場合には、図４（ａ）に示すように液体面が容器１の底面と平行ではなく傾斜した状態になる。この状態において容器１内にフォロープレート５０を差し込むと、液体面とフォロープレート５０との間に空間αが形成されるため、ポンプ４０がエア噛みを起こし、汲み上げ不良を生じる懸念がある。
【００４８】
そこで、かかる問題が生じることを想定し、図４（ａ），（ｂ）に示すように、フォロープレート５０に代えて、固定プレート１５２及び揺動プレート１５４の２枚のプレートを備えたフォロープレート１５０を採用した構成としても良い。具体的には、フォロープレート１５０は、ポンプ４０側に固定される固定プレート１５２と、固定プレート１５２に対してヒンジ１５６（支軸）を介して近接離反する方向に揺動可能なように連結された揺動プレート１５４とを有する。フォロープレート１５０は、傾斜した姿勢で設置された容器１の開口部３に、揺動プレート１５４が流体面に臨むと共に、ヒンジ１５６が下方側に向く姿勢となるように挿入される。
【００４９】
上述したようにして傾斜姿勢で設置された容器１にフォロープレート５０が挿入されると、揺動プレート１５４は、ヒンジ１５６を中心として固定プレート１５２から離れる方向に揺動する。これにより、図４（ａ）に示すように、容器１内において斜め向きになっている流体面に対し、揺動プレート１５４が沿った状態になる。この状態において載置部２０に載置された容器１とポンプ４０とを近接させると、図４（ｂ）に示すように、揺動プレート１５４が固定プレート１５２に近接する方向に揺動しつつ流体面の表面に揺動プレート１５４が密着した状態になる。またこれにより、フォロープレート５０の裏側（流体側）に形成された空間α内に存在していた空気が容器１内から排出される。このような状態においてポンプ４０を作動させることにより、エア噛み等を生じることなく、傾斜した姿勢で設置された容器１から流体をスムーズに汲み出すことが可能となる。
【００５０】
ここで、上述した揺動プレート１５４は、略全体に亘って弾性を有さない素材によって形成されていても良いが、少なくとも外周部が、弾性体によって形成されていることが望ましい。揺動プレート１５４の外周部が弾性を有するものとすることにより、容器１の内周面との間のシール特性が向上し、さらに容器１から流体をスムーズに汲み出すことが可能となる。
【００５１】
また、横向きあるいは斜め向きに容器１を設置した場合に、流体が容器１の軸心位置よりも下方側に溜まる傾向にあることを想定し、流体の残量が少なくなってきた場合においても容器１内の流体をスムーズに汲み出し可能とすべく、吸込部４２が容器１の軸心位置よりも下方に外れた位置となるようにポンプ４０を設置しても良い。これにより、流体の残量が減少した場合であっても、より一層スムーズに汲み出すことが可能となる。
【００５２】
本実施形態においては、流体汲出装置１０をシールドシステム１００において使用した例を示したが、本考案はこれに限定されるものではなく、シールド機１１０以外の装置との組み合わせで使用されても、単独で使用されても良い。具体的には、シールド機１１０に代えて、既設管へのライニング施工（例えば特開２００２−３３２７９７号参照）を行う装置との組み合わせにおいて、裏込注入剤５を供給するために流体汲出装置１０を用いても良い。
【産業上の利用可能性】
【００５３】
本考案の流体汲出装置は、トンネル等を施工するためのシールドシステムや、ライニング施工装置等の高さ方向に狭小な空間内において使用される装置との組み合わせにおいて好適に利用することができる。また、本考案の流体汲出装置は、高さ方向に狭小な空間内において単独で利用することも可能である。
【符号の説明】
【００５４】
１          容器
３          開口部
１０          流体汲出装置
２０          載置部
２４          角度調整機構
３０          スライダー
４０          ポンプ
５０，１５０  フォロープレート
６０          定荷重バネ
１００          シールドシステム
１１０          シールド機
１４０          セグメント
１５２          固定プレート
１５４          揺動プレート
１５６          ヒンジ（支軸）
【図１】
0003182037.tif 000003
【図２】
0003182037.tif 000004
【図３】
0003182037.tif 000005
【図４】
0003182037.tif 000006
【手続補正書】
【提出日】平成24年12月27日(2012.12.27)
【手続補正１】
【補正対象書類名】実用新案登録請求の範囲
【補正対象項目名】全文
【補正方法】変更
【補正の内容】
【実用新案登録請求の範囲】
【請求項１】
開口部が垂直方向よりも所定の角度をなして臨むように容器を載置可能な載置部と、
垂直方向よりも所定の角度をなすスライド方向に前記載置部を摺動可能なスライダーと、
前記載置部に対して前記スライド方向に離れた位置に設けられており、前記容器内に貯留された流体を汲み出すポンプと、
前記ポンプの吸込部に着脱自在に装着されたフォロープレートと、
前記フォロープレートにより流体面に一定の押圧力が作用するように前記載置部を前記ポンプ側へ付勢する定荷重バネとを有することを特徴とする流体汲出装置。
【請求項２】
前記容器の配置角度を調整可能な角度調整機構を備えていることを特徴とする請求項１に記載の流体汲出装置。
【請求項３】
前記容器の開口部が水平方向に臨むように配置されることを特徴とする請求項１又は２に記載の流体汲出装置。
【請求項４】
前記フォロープレートが、
前記ポンプ側に固定された固定プレートと、
前記固定プレートに対して支軸を介して近接離反する方向に揺動可能なように連結された揺動プレートとを有し、
傾斜した姿勢で設置された前記容器の開口部に、前記揺動プレートが流体面に臨むと共に、前記支軸が下方側に向く姿勢となるように前記フォロープレートを挿入し、前記ポンプが前記容器に対して近接するように相対移動させることが可能であることを特徴とする請求項１〜３のいずれかに記載の流体汲出装置。
【請求項５】
前記揺動プレートの少なくとも外周部が、弾性体によって形成されていることを特徴とする請求項４に記載の流体汲出装置。
【請求項６】
前記ポンプの吸込部が、前記容器の軸心位置よりも下方に外れた位置に設けられていることを特徴とする請求項１〜５のいずれかに記載の流体汲出装置。
【請求項７】
横穴内において垂直方向よりも所定の角度をなす方向に前記ポンプ及び前記載置部が配列され、垂直方向よりも所定の角度をなす方向に作動することを特徴とする請求項１〜６のいずれかに記載の流体汲出装置。
【請求項８】
前記ポンプが、動力を受けて偏心回転する雄ねじ型のロータと、内周面が雌ねじ型に形成されたステータとを有する一軸偏心ねじポンプであることを特徴とする請求項１〜７のいずれかに記載の流体汲出装置。
【請求項９】
請求項１〜８のいずれかに記載の流体汲出装置と、
横穴掘削用のシールド機とを有し、
前記流体汲出装置が、前記シールド機内部に配置され、前記容器に収容されている裏込注入剤を汲み出し、前記シールド機によって掘削孔の内壁面に沿って配置されるセグメントと地質との間に注入可能であることを特徴とするシールドシステム。